【事件の表示】
　平成１１年特許願第　９５０４９号「作業機のカウンタウェイト着脱装置」拒絶査定に対する審判事件［平成１２年１０月１７日出願公開、特開２０００−２９１０７０］について、次のとおり審決する。
【結　論】
　本件審判の請求は、成り立たない。
【理　由】
１．手続の経緯
　本願は、平成１１年４月１日の出願であって、平成１４年１０月２５日付で拒絶査定がなされ、これに対し、同年１１月２９日に拒絶査定に対する審判請求がなされるとともに、同年１２月４日付けで手続補正がなされたものである。
　
２．平成１４年１２月４日付けの手続補正についての補正却下の決定
［補正却下の決定の結論］
　　平成１４年１２月４日付けの手続補正を却下する。
［理由］
（１）補正後の本願発明
　本件補正により、特許請求の範囲の請求項１は、
「作業機本体の後部側にカウンタウェイトを装着及び脱着可能な着脱装置において、前記作業機本体の後部にアームの基端部と第２油圧シリンダの一端部をそれぞれ回動自在に連結し、該アームの先端部と該第２油圧シリンダの他端部とを回動自在に連結してリンクを構成し、該第２油圧シリンダの一端部連結位置を該アーム基端部連結位置よりも前方の近接した位置でかつ上方の位置に配置して該第２油圧シリンダの作動が死点から離れた点で作動するように該カウンタウェイトを地面等に降ろし、或いは地面等から持ち上げ可能に構成し、前記作業機本体の後部に該カウンタウェイトを保持するための手段を設けると共に、前記アームの先端に第１油圧シリンダの一端をピン連結し、該第１油圧シリンダの他端を該カウンタウェイトに連結して該保持手段への着脱を容易化したことを特徴とする作業機のカウンタウェイト着脱装置。」
と補正された。
　上記補正は、誤記の訂正を目的として「他端部」を「一端部」にするとともに、請求項１に記載した発明を特定するために必要な事項である「前方かつ上方の位置」、「死点が生じないように」を、それぞれ、「前方の近接した位置でかつ上方の位置」、「作動が死点から離れた点で作動するように」と限定したものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第４項の規定に適合するか）について以下に検討する。
　
（２）引用例
　原査定の拒絶の理由に引用された、実願昭６０−１０９３９９号（実開昭６２−２１１６０号）のマイクロフィルム（以下、「引用例１」という。）には、実用新案登録請求の範囲「（１）車体の前部に、ブームシリンダにより起伏可能な作業装置を設け、該車体の後部にカウンタウエイトを脱着可能に設けた作業機において、車体後部にマストを設け、該マスト上部にシーブを装着し、該シーブを介してマストに支持された索条をカウンタウエイトの脱着時に該カウンタウエイトと前記作業装置との間に張架すると共に、ブームシリンダと主ポンプをブーム用主操作弁を介して接続したブーム操作回路に補助ポンプをブーム用補助操作弁を介して接続したことを特徴とする作業機のカウンタウエイト脱着装置。」、５頁４行〜７頁４行「車体１の後部にはカウンタウエイト取付板３が設けられ、該車体１の前部には後述する作業装置が設けられている。この作業装置は、車体１に枢着されたブーム４と、該ブーム４先端に枢着されたアーム５と、該アーム５先端に枢着され、かつ、リンケージ６を介して連結されたバケット７とからなり、これらをブームシリンダ８とアームシリンダ９とバケットシリンダ１０で回動できるようにしたものである。１１はマストで、車体１の後部にカウンタウエイト取付板３より後方に突出させて設けたラグ１２にピン１３により前後に回動可能に枢着されている。このマスト１１の上部にはシーブ１４が回転可能に装着されている。１５はマスト揺動用のマストシリンダで、該シリンダ１５のヘッド側端部が車体１の後部上に設けたラグ１６に取外し可能なピン１７により枢着され、かつ、ロッド側端部がマスト１１のほぼ中央部に取外し可能なピン１８により枢着されている。１９はカウンタウエイトで、前記マスト１１，マストシリンダ１５，ラッグ１２の収納空間を有する平面視コ形断面に形成されている。このカウンタウエイト１９の後部後面には、カウンタウエイト取付板３の上端部と係合するフック２０が設けられ、該カウンタウエイト１９の中央部、重心線上には索条取付け用ラグ２１が設けられている。カウンタウエイト１９は、左右のフック２０でカウンタウエイト取付板３の上端部に係合支持され、かつ、該取付板３にボルト２２により締結される。２３は索条（実施例ではワイヤロープ）で、該索条２３の一端はブーム４上のシリンダ取付け用ラグ２４に取外し可能なピン２５により連結され、他端はカウンタウエイト１９上の索条取付け用ラグ２１に取外し可能なピン２６により連結され、中間はマスト１１上部に装着したシーブ１４に掛けられている。かくして索条２３はブーム４・カウンタウエイト１９間に張架される。」、９頁３行〜１２頁２行「地上のカウンタウエイト１９を車体１に取付ける場合、（１）〜（５）（注：丸数字をカッコ数字で表示する。以下、同。）の手順で行なう。（１）マストシリンダ１５のロッド押出操作によりマスト１１を最も後方へ回動させてシーブ１４を第（注：略字を正規の字で表示する。以下、同。）３図に示す位置Ｂ（カウンタウエイト取付け位置）より・・・後方の同図に示す位置Ａに配した状態で、該シーブ１４がカウンタウエイト１９上の索条取付け用ラグ２１の直上にくるよう車体１を移動する。（２）索条２３の一端をピン２５によりラグ２４に取付けてブーム４と連結し、かつ、他端をピン２６によりラグ２１に取付けてカウンタウエイト１９と連結すると共に、この索条２３をシーブ１４に掛けて支持させる。（３）・・・ブームシリンダ８のロッド引込操作が微速で行なわれる。・・・索条２３はブーム４とカウンタウエイト１９間で張架され（第１図参照）、カウンタウエイト１９は、この索条２３により第４図に示す位置１９ａから引き上げられる（第２図参照）。このとき、カウンタウエイト１９は、重心線上で吊られて傾斜せずに上昇する。・・・（４）フック２０がカウンタウエイト取付板３より上方となるようカウンタウエイト１９が第４図示位置１９ｂに達してブーム４が第２図に示す姿勢になった時点で、・・・マスト１１が前方へ徐々に回動され、シーブ１４がカウンタウエイト取付け位置（第３図に示す位置）まで移動することによって、カウンタウエイト１９は、第４図に示す位置１９ｂから位置１９ｃまで若干下がりながらカウンタウエイト取付板３に近づいてこれに接触し制止する。（５）・・・カウンタウエイト１９は第４図に示す位置１９ｃから下降し、フック２０がカウンタウエイト取付板３の上端部に係合する。」の記載を含む明細書全体および図面を参照すると、「作業機車体の後部側にカウンタウェイトを装着及び脱着可能な脱着装置において、前記作業機車体の後部にマストの基端部とマスト揺動用のマストシリンダのヘッド側端部をそれぞれ回動自在に連結し、該マストのほぼ中央部と該マストシリンダのロッド側端部とを回動自在に枢着してリンクを構成し、該マストシリンダのヘッド側端部連結位置を該マスト基端部連結位置よりも前方でかつ上方の位置に配置して該カウンタウェイトを地面等に降ろし、或いは地面等から持ち上げ可能に構成し、前記作業機車体の後部にカウンタウエイト取付板を設けてカウンタウェイトに設けた左右のフックをその上端部に係合支持すると共に、前記マストの上部に装着したシーブを介して索条の一端をブーム上のシリンダ取付け用ラグにピン連結し、該索条の他端を該カウンタウェイトに連結して該カウンタウェイトに設けた左右のフックの該カウンタウエイト取付板への着脱を容易化した作業機のカウンタウェイト脱着装置」という発明（以下「引用例１発明」という。）が開示されていると認めることができる。
　また、同、実願昭５８−８４５８６号（実開昭５９−１９０７９１号）のマイクロフィルム（以下、「引用例２」という。）には、４頁１行〜５頁４行「１はベースマシンで、クローラ式下部走行体２と上部旋回体３とから成っている。上部旋回体３には、後端部にカウンタウエイト台４が設けられ、該台４上にカウンタウエイト５が着脱可能に装着される。第１図には、該ウエイト５が台４の後方で地上に置かれた装着前の状態（逆にいえば取外し後の状態）を示している。６は同旋回体後部に起伏可能に設けられたガントリで、このガントリ６は、フロントメンバー７と伸縮可能なリヤメンバー８とを互いの頂部でピークピン９にて連結して成り、倒伏状態で該ピーク部が旋回体後方に突出する。１０はガントリピークピン９にて設けられたガントリシーブである。１１はブーム、１２は該ブーム起伏用のワイヤで、このワイヤ１２はガントリシーブ１０を介してスプレッダ１３，１４間に掛け渡され、該ワイヤ１２の巻取、巻戻しによってブーム１１が起伏回動する。１５はカウンタウエイト着脱用の油圧シリンダで、ガントリピークピン９とカウンタウエイト５の中央部間に設けている。該シリンダ１５は、ウエイト５に対してはピン１６によって着脱可能に取付け、後述するように、ウエイト取外し状態でこのシリンダ１５をクレーン組立時のガントリ起立用に使用できるようにしている。」、５頁１６行〜６頁１２行「第１図の状態からカウンタウエイト５をウエイト台４上に装着するときは、第４図（ａ）に示すように油圧シリンダ１５を縮小させてウエイト５を地上所定高さ位置まで吊上げたのち、ブーム起伏用ワイヤ１２を巻取ることによってガントリ６を第４図（ｂ）に示すように起立回動させる。このガントリ６の起立回動、すなわち、ガントリピークピン９の前上方への移動によってカウンタウエイト５をウエイト台４の上方位置まで吊上げ、該位置から、油圧シリンダ１５を伸長させて第４図（ｃ）に示すようにウエイト５を台４上に載置し、固定する。・・・このようにしてカウンタウエイト５の装着作業が完了する。また、同ウエイト５の取外しは上記と逆の手順によって行なうことができる。」と、図面とともに記載されている。
　
（３）対比
　そこで、本願補正発明と引用例１発明とを比較すると、引用例１発明の「作業機車体」、「脱着装置」、「マスト」、「マストシリンダ」、「ヘッド側端部」、「ロッド側端部」、「カウンタウエイト取付板」は、それぞれ、本願補正発明の「作業機本体」、「着脱装置」、「アーム」、「第２油圧シリンダ」、「一端部」、「他端部」、「カウンタウェイトを保持するための手段（保持手段）」に相当し、引用例１発明の「マストの上部に装着したシーブを介して索条の一端をブーム上のシリンダ取付け用ラグにピン連結し、該索条の他端をカウンタウェイトに連結して該カウンタウェイトに設けた左右のフックのカウンタウエイト取付板への着脱を容易化した」と、本願補正発明の「アームの先端に第１油圧シリンダの一端をピン連結し、該第１油圧シリンダの他端をカウンタウェイトに連結して保持手段への着脱を容易化した」とは、「アームの先端の構成により保持手段への着脱を容易化した」で共通するから、両者は、「作業機本体の後部側にカウンタウェイトを装着及び脱着可能な着脱装置において、前記作業機本体の後部にアームの基端部と第２油圧シリンダの一端部をそれぞれ回動自在に連結し、該アームと該第２油圧シリンダの他端部とを回動自在に連結してリンクを構成し、該第２油圧シリンダの一端部連結位置を該アーム基端部連結位置よりも前方でかつ上方の位置に配置して該カウンタウェイトを地面等に降ろし、或いは地面等から持ち上げ可能に構成し、前記作業機本体の後部に該カウンタウェイトを保持するための手段を設けると共に、前記アームの先端の構成により該保持手段への着脱を容易化した作業機のカウンタウェイト着脱装置」の点で一致し、以下の点で相違している。
　相違点１：本願補正発明は、アームの先端部と第２油圧シリンダの他端部とを回動自在に連結してリンクを構成し、該第２油圧シリンダの一端部連結位置を該アーム基端部連結位置よりも前方の近接した位置でかつ上方の位置に配置して該第２油圧シリンダの作動が死点から離れた点で作動するようにしているのに対して、引用例１発明は、マストのほぼ中央部とマストシリンダのロッド側端部とを回動自在に枢着してリンクを構成し、該マストシリンダのヘッド側端部連結位置を該マスト基端部連結位置よりも前方でかつ上方の位置に配置しているが、近接した位置ではなく、該マストシリンダの作動が死点から離れた点で作動するようにしているか否か不明である点。
　相違点２：保持手段への着脱を容易化するためのアームの先端の構成が、本願補正発明は、アームの先端に第１油圧シリンダの一端をピン連結し、該第１油圧シリンダの他端を該カウンタウェイトに連結しているのに対して、引用例１発明は、マストの上部に装着したシーブを介して索条の一端をブーム上のシリンダ取付け用ラグにピン連結し、該索条の他端を該カウンタウェイトに連結している点。
　
（４）判断
　相違点１について検討すると、リンクを構成するに際し、引用例１発明においても、マストの先端部とマストシリンダのロッド側端部とを回動自在に枢着するようにすることは、設計的事項にすぎず、また、マストシリンダの作動が死点から離れた点で作動するように考慮することは当然のことで、そのために、マストシリンダのヘッド側端部連結位置を該マスト基端部連結位置よりも前方の近接した位置とすることも、設計的事項にすぎない。
　次ぎに相違点２について検討するため、引用例２をみると、引用例２には、作業機本体（引用例２の「上部旋回体３」に相当。以下、かっこ内、同。）の後部にアーム（「フロントメンバー７」）の基端部と第２油圧シリンダ（「リヤメンバー８」）の一端部をそれぞれ回動自在に連結し、該アームと該第２油圧シリンダの他端部とを回動自在に連結してリンクを構成し、カウンタウェイトを地面等に降ろし、或いは地面等から持ち上げ可能に構成し、前記作業機本体の後部に該カウンタウェイトを保持するための手段（「カウンタウエイト台４」）を設けた作業機本体の後部側にカウンタウェイトを装着及び脱着可能な着脱装置（「ガントリ６」）において、保持手段への着脱（「装着（吊上げ載置）・取外し（吊上げ降ろし）」）を容易化するため、アームの先端に第１油圧シリンダ（「カウンタウエイト着脱用の油圧シリンダ１５」）の一端をピン連結し、該第１油圧シリンダの他端を該カウンタウェイトに連結しているという構成が記載されており、この構成を、引用例１発明の保持手段への着脱を容易化するためのアームの先端の構成として採用して、相違点２に係る本願補正発明のようにすることは、当業者が容易に想到しうることにすぎない。
　そして、本願補正発明の作用効果も、引用例１、２発明から当業者が予測できる範囲のものである。
　したがって、本願補正発明は、引用例１、２発明に基づいて、当業者が容易に発明をすることができたものであるから、特許法第２９条第２項の規定により特許出願の際独立して特許を受けることができないものである。
　
（５）むすび
　以上のとおり、本件補正は、特許法第１７条の２第５項において準用する同法第１２６条第４項の規定に違反するものであるから、同法第１５９条第１項において読み替えて準用する同法第５３条第１項の規定により却下すべきものである。
　
３．本願発明について
　平成１４年１２月４日付けの手続補正は上記のとおり却下されたので、本願の請求項１および２に係る発明は、平成１４年８月２８日付けの手続補正書で補正された明細書の特許請求の範囲の請求項１および２に記載された事項により特定される、以下のとおりのものである。
「【請求項１】　作業機本体の後部側にカウンタウェイトを装着及び脱着可能な着脱装置において、前記作業機本体の後部にアームの基端部と第２油圧シリンダの一端部をそれぞれ回動自在に連結し、該アームの先端部と該第２油圧シリンダの他端部とを回動自在に連結してリンクを構成し、該第２油圧シリンダの他端部連結位置を該アーム基端部連結位置よりも前方かつ上方の位置に配置して該第２油圧シリンダの死点が生じないように該カウンタウェイトを地面等に降ろし、或いは地面等から持ち上げ可能に構成し、前記作業機本体の後部に該カウンタウェイトを保持するための手段を設けると共に、前記アームの先端に第１油圧シリンダの一端をピン連結し、該第１油圧シリンダの他端を該カウンタウェイトに連結して該保持手段への着脱を容易化したことを特徴とする作業機のカウンタウェイト着脱装置。
【請求項２】（記載を省略）」
（以下、請求項１記載の発明を「本願発明」という。）　
　
（１）引用例
　原査定の拒絶の理由に引用された引用例１、２の記載事項は、前記「２．（２）」に記載したとおりである。
　
（２）対比・判断
　本願発明は、前記２．で検討した本願補正発明を特定するために必要な事項から、「前方かつ上方の位置」、「死点が生じないように」についての限定事項を省いたものである。なお、本願発明の「他端部」は「一端部」の誤記と認める。
　そうすると、本願発明を特定するために必要な事項を全て含み、さらに他の事項を付加したものに相当する本願補正発明が、前記「２．（４）」に記載したとおり、引用例１、２発明に基づいて、当業者が容易に発明をすることができたものであるから、本願発明も、同様の理由により、引用例１、２発明に基づいて、当業者が容易に発明をすることができたものである。
　
（３）むすび
　以上のとおり、本願発明は、引用例１、２発明に基づいて、当業者が容易に発明をすることができたものであり、特許法第２９条第２項の規定により特許を受けることができないから、請求項２に係る発明について検討するまでもなく、本願は、拒絶されるべきものである。
　よって、結論のとおり審決する。